(57)【要約】      （修正有）【課題】引手とハンドルがコンパクトに装着された保冷箱を提供する。【解決手段】容器本体１０と蓋２０とを具備する直方体形状の保冷箱であって、容器本体の所定対向側壁間には、該所定対向側壁の側壁同士Ｓ１，Ｓ２が対向する方向に延伸した枢軸を中心として回動可能なブリッジ状の手提げハンドル３０が装着されており、前記所定対向側壁の一方の側壁Ｓ１には、該一方の側壁に対向する他方の側壁Ｓ２の側に配設した転動体Ｒが地面上を転動しつつ該保冷箱を運搬するための引手４０が設けられており、該引手は、前記一方の側壁の外側に設けた引手収納部５０に対して、その上方への引き出しと内方への収納が可能に設けられており、前記ハンドルはその一端部が前記引手収納部の外側に位置している。【選択図】図１
2010168100.tif 000002
【特許請求の範囲】
【請求項１】
容器本体と蓋とを具備する直方体形状の保冷箱であって、容器本体の所定対向側壁間には、該所定対向側壁の側壁同士が対向する方向に延伸した枢軸を中心として回動可能なブリッジ状の手提げハンドルが装着されており、前記所定対向側壁の一方の側壁には、該一方の側壁に対向する他方の側壁の側に配設した転動体が地面上を転動しつつ該保冷箱を運搬するための引手が設けられており、
該引手は、前記一方の側壁の外側に設けた引手収納部に対して、その上方への引き出しと内方への収納が可能に設けられており、前記ハンドルはその一端部が前記引手収納部の外側に位置している
ことを特徴とする保冷箱。
【請求項２】
手提げ状態で表現すれば、前記ブリッジ状のハンドルは前記枢軸の位置から上方に延伸した上下延伸部を具備しており、前記一端部側の上方延伸部は、前記引手を収納させた状態でハンドルを回動させても該引手に干渉しない途中位置でブリッジの内側方向に向かって折れ曲がっている請求項１記載の保冷箱。
【請求項３】
前記引手の収納位置において、所定以下の引き出し力に対して該引手を保持する保持手段が設けられている請求項１又は２記載の保冷箱。
【発明の詳細な説明】
【技術分野】
【０００１】
本発明は、魚釣りやレジャーに使用できるクーラーボックス等の保冷箱（保温箱を含む）に関する。
【背景技術】
【０００２】
保冷箱は、下記特許文献１の図１に図示されているように、その運搬のために手提げハンドルが設けられている。また、下記特許文献２に開示のように、保冷箱がある程度以上大きくなると、手提げハンドルでは持ち運びすることが困難となり、そうした場合に、直方体状の保冷箱の所定側壁部に引手を設け、この引手を持って保冷箱下部の車輪を地面上に転動させて保冷箱を引きながら運搬することが行われる。
【特許文献１】特開２００７−１９５４９４号公報
【特許文献２】特開平１０−２５０７７８号公報
【発明の開示】
【発明が解決しようとする課題】
【０００３】
然しながら、引きながら運搬する場合は、地面の凹凸によって保冷箱がガタガタと音をたてたり、揺れたりする欠点がある。そこで、保冷箱の大きさによって、体力のある釣人はできるだけ手提げハンドルを使用して静かに運搬することを望み、そうでない人は、やむを得ず引手をもって運搬する。こうしたことが可能なように手提げハンドルと引手の両方を装着準備しておくことが望まれる。この場合、引手や手提げハンドルの装着部をコンパクトにして、スマートな感じの保冷箱にしたい。
依って解決しようとする課題は、引手とハンドルがコンパクトに装着された保冷箱の提供である。また、引手の不用意な動きを防止したい。
【課題を解決するための手段】
【０００４】
上記課題解決のために第１の発明では、容器本体と蓋とを具備する直方体形状の保冷箱であって、容器本体の所定対向側壁間には、該所定対向側壁の側壁同士が対向する方向に延伸した枢軸を中心として回動可能なブリッジ状の手提げハンドルが装着されており、前記所定対向側壁の一方の側壁には、該一方の側壁に対向する他方の側壁の側に配設した転動体が地面上を転動しつつ該保冷箱を運搬するための引手が設けられており、該引手は、前記一方の側壁の外側に設けた引手収納部に対して、その上方への引き出しと内方への収納が可能に設けられており、前記ハンドルはその一端部が前記引手収納部の外側に位置していることを特徴とする保冷箱を提供する。
【０００５】
第２の発明は、手提げ状態で表現すれば、第１の発明の前記ブリッジ状のハンドルは前記枢軸の位置から上方に延伸した上方延伸部を具備しており、前記一端部側の上下延伸部は、前記引手を収納させた状態でハンドルを回動させても該引手に干渉しない途中位置でブリッジの内側方向に向かって折れ曲がっている。
第３の発明は、第１又は第２の発明の前記引手の収納位置において、所定以下の引き出し力に対して該引手を保持する保持手段が設けられている。
【発明の効果】
【０００６】
第１の発明では、引手は引手収納部に対して上下に作動する。一方、ハンドルは枢軸周りに回動するものであるため、仮にハンドルを引手よりも側壁の壁面寄りに装着していれば、引手はハンドルの肉厚分だけ外側に位置させて設ける必要がある。このため、引手収納部はハンドル肉厚と引手肉厚とを合わせた厚さ分以上、側壁壁面から外方に突出する。また、枢軸回りに回動するようにハンドルを装着させる装着部を引手収納部とは別に必要とする。然しながら、ハンドルは端部を引手収納部の外側から装着させる構造のため、該引手収納部の外側壁部をハンドル装着に利用できると共に、引手収納部はハンドル肉厚分だけ薄く構成でき、スマートな感じの保冷箱となる。
【０００７】
第２の発明では、上下延伸部は、その所定途中位置でブリッジの内側方向へ折れ曲がっているため、ハンドルが長さ方向にコンパクトになり、保冷箱がよりコンパクトでスマートになる。
第３の発明では、所定以下の引き出し力に対して引手は保持手段によって収納位置において保持されるため、ハンドルを持って保冷箱を提げた運搬中に、引手が不用意に飛び出すことを防止できる。
【発明を実施するための最良の形態】
【０００８】
以下、本発明を図面を用いて詳細に説明する。図１は本発明に係る保冷箱の正面図、図２は図１の矢視線Ｂの方向視による異なるハンドル状態の保冷箱の側面図、図３は図１の縦断面図に相当する部分破断拡大図、図４は図３の右側部分の異なる状態図、図５は図２と異なる状態の横断面拡大図である。保冷箱の各部はネジを除いて合成樹脂材で成形できる。容器本体１０と蓋２０とを有する直方体状の保冷箱には、容器本体の長手方向に対向する所定対向側壁Ｓ１，Ｓ２の間に亘って、手提げ状態において、蓋２０の上方に長手部３０Ｌが位置するように、ブリッジ状の手提げハンドル３０が装着されている。前記所定対向側壁の一方の側壁Ｓ１の外側に設けた引手収納部を区画する引手収納カバー５０の内部に、下方に向かって引手４０の下方大部分を収納でき、また、上方に向かって引き出し可能に構成している。また、他方の側壁Ｓ２の下部位置には、転動体としての車輪Ｒが設けられている。なお、容器本体を形成する側壁や蓋２０の壁内部には発泡合成樹脂等の断熱材Ｄが収容されている。
【０００９】
上記ハンドル３０の長手部３０Ｌの各端部には、手提げ状態で上下方向に延伸する上下延伸部３０Ｅ、３０Ｅ’が設けられており、一方の上下延伸部３０Ｅの下端部には、両側壁Ｓ１，Ｓ２の対向方向（長手方向）に延伸した枢軸３０Ｊが引手収納カバー５０の外側壁に装着されている。一方、他方の上下延伸部３０Ｅ’の下端部には、両側壁Ｓ１，Ｓ２の対向方向に延伸した枢軸３０Ｊ’がハンドル装着部６０の外側壁に装着されている。こうしてハンドル３０は、他の対向側壁の一方Ｓ３と他方Ｓ４の間を蓋２０の上方を通って回動（往復動）できる。
【００１０】
側壁Ｓ１の外面には板状部材５５が装着固定されており、この外側に上記引手収納カバー５０が装着されている。この引手収納カバーは図３に明示されているように、上方程厚さ幅（図３の左右方向幅）が狭くなっている。また、板状部材５５の下方部には半円柱状の突起５５Ｋが外方向に突出しており、更には、上方部であって、引手収納カバー５０の内部上方位置には半円柱状の他の突起５５Ｓが外方向に突出している。引手４０は図５に明示されているように、この例ではロ字状であって、概ね矩形状であって、その中央領域が開口している。その下部横フレーム４０Ｂは、この例では横断面が円形の丸棒状であり、引手４０を収納する最後の方で、所定以上の力で押し込めば、下部横フレーム４０Ｂが突起５５Ｋを弾力的に乗り越えてその下側に位置し、この収納位置で保持される。この際、所謂、節度感が感じられ、目視しなくても保持されたことが分かる。また、これにより引手４０が不用意に飛び出すことが防止される。
【００１１】
ハンドル３０が何れかの側壁Ｓ３，Ｓ４の側に位置した通常載置状態において、引手を引き出す際には、所定以上の力で引き出せばよく、ハンドルの枢軸３０Ｊの抜け止め処理された端部と側壁Ｓ１との間空間を通過して上方に移動した引手４０は、その下部横フレーム４０Ｂが既述の他の突起５５Ｓに当接するが、所定以上の力で引き上げれば、下部横フレーム４０Ｂが突起５５Ｓを弾力的に乗り越えてその上側に位置し、引手収納カバー５０の上部壁との間に保持され、それ以上の引き出しが規制される。また、この位置では、概ね下部横フレーム４０Ｂを枢軸として所要角度回動できる。図４に、この位置の下部横フレームを記号４０Ｂ”で示している。引手４０を適宜な角度回動させた状態で保冷箱を引くと図６の状態となり、車輪Ｒが地面上を転動する。また、保冷箱を平面状の地面に載置した状態では、車輪は僅かに浮き、底壁の下面に設けた適宜数の台座ＤＺが地面に当接するように設計している。
【００１２】
上記説明から明らかなように、ハンドルの上下延伸部３０Ｅは引手４０の外側に位置しているため、引手収納部を区画する引手収納カバー５０は、ハンドルの上下延伸部３０Ｅを収容する必要は無く、その枢軸３０Ｊを装着できて、引手４０の縦方向フレームと下部横フレーム４０Ｂとが通過できるだけの厚さ幅（図３の左右方向幅）が有ればよく、その分薄く構成できる。
【００１３】
ハンドル３０の上下延伸部３０Ｅは、収納状態の引手４０に干渉しないその途中位置において、枢軸３０Ｊから長手部３０Ｌの方向に見て、ブリッジ状ハンドルの内方に折れ曲がった傾斜部３０Ｂを有している。従って、ハンドル３０がコンパクトであってスマートな感じになると共に、対向側壁の一方Ｓ３と他方Ｓ４の間を蓋２０の上方を通って回動しても引手４０には当たらずに回動できる。また、上下延伸部３０Ｅ’もハンドル装着部６０と干渉しない途中位置において、同様に、ブリッジ状ハンドルの内方に折れ曲がった傾斜部３０Ｂ’を有している。従って、図１等に図示されている上下延伸部３０Ｅ，３０Ｅ’の上方部と、これらに連結されている長手部３０Ｌとはコンパクトに構成されている。
【００１４】
ハンドル３０を持って保冷箱を持ち運ぶときは、ハンドルが蓋２０の上方に位置し、ハンドルの傾斜部３０Ｂが収納状態の引手４０の上方に位置するため、下部横フレーム４０Ｂが仮に突起５５Ｋの下方にまで押し下げが行われていなかった場合、引手４０が上方に振れ出ようとしても、傾斜部にあたって引手収納カバー５０の内部からの不用意な飛び出しを防止できる。
上記実施形態例のハンドル３０は概ねコの字状であるが、アーチ状等、形状は任意である。また、引手４０は概ね矩形状であったが、これも形状は任意である。更には、肩に掛けるベルトを具備していてもよい。
【産業上の利用可能性】
【００１５】
本発明は、魚釣りやレジャーに使用するクーラーボックス等の保冷箱（や保温箱）に利用できる。
【図面の簡単な説明】
【００１６】
【図１】図１は本発明に係る保冷箱の正面図である。
【図２】図２は図１の矢視線Ｂの方向視による異なるハンドル状態の保冷箱の側面図である。
【図３】図３は図１の縦断面図に相当する部分破断拡大図である。
【図４】図４は図３の右側部分の異なる状態図である。
【図５】図５は図２と異なる状態の横断面拡大図である。
【図６】図６は引手による運搬中の図である。
【符号の説明】
【００１７】
１０                  容器本体
２０                  蓋
３０                  ハンドル
３０Ｊ                枢軸
３０Ｅ                上下延伸部
４０                  引手
４０Ｂ                下部横フレーム
５０                  引手収納カバー（引手収納部）
５５Ｋ                半円柱状の突起（保持手段）
【図１】
2010168100.tif 000003
【図２】
2010168100.tif 000004
【図３】
2010168100.tif 000005
【図４】
2010168100.tif 000006
【図５】
2010168100.tif 000007
【図６】
2010168100.tif 000008